(57)【要約】      （修正有）【課題】成形が容易なポータブルトイレを提供する。【解決手段】ポータブルトイレ１０の便器本体１００は、上下に組み合わされる上側部材２１０と下側部材２２０とを備えている。上側部材２１０は、上面部と、側面部とを有し、下側部材２２０は、上側部材２１０の側面部と組み合わされた側面部と、底部とを有している。上側部材２１０と下側部材２２０とが組み合わされる部位は、便器本体１００の後部の中央部において前方に向けて凹んでいる。脚は、底部の、左右の隅部にそれぞれに装着された脚部５０１、５０２、６０１を備えている。【選択図】図１
2015051300.tif 000002
【特許請求の範囲】
【請求項１】
便器本体と、
脚と
を備え、
前記便器本体は、
上下に組み合わされる上側部材と下側部材とを備え、
前記上側部材は、
上面部と、側面部とを有し、
前記下側部材は、
前記上側部材の側面部と組み合わされた側面部と、底部とを有し、
前記上側部材と前記下側部材とが組み合わされる部位は、前記便器本体の後部の中央部において前方に向けて凹んでおり、
前記脚は、
前記底部の、前後左右の隅部にそれぞれに装着された脚部を備えた、
ポータブルトイレ。
【発明の詳細な説明】
【技術分野】
【０００１】
本発明は、ポータブルトイレに関する。ここで、ポータブルトイレは、例えば、ベッド脇に置かれて介護用に用いることができるトイレである。ポータブルトイレは、介護用トイレや簡易トイレなどとも称されうる。
【背景技術】
【０００２】
例えば、特許文献１には、ポータブルトイレの脱臭構造が開示されている。ここで開示されたポータブルトイレでは、便器本体の後部に脱臭装置が設けられている。便器本体の上面には、トレイが配置されている。当該トレイの内部には、脱臭ダクトが形成されている。また、当該トレイの側周面には、脱臭ダクトの吸引口が形成されている。なお、特許文献１では、ポータブルトイレは「携帯用便器」、トレイは「受け板」、脱臭ダクトは「臭気吸引ダクト」とそれぞれ称されている。
【先行技術文献】
【特許文献】
【０００３】
【特許文献１】特許第３８２６０２０号公報
【発明の概要】
【課題を解決するための手段】
【０００４】
ここで提案されるポータブルトイレは、便器本体と、脚とを備えている。便器本体は、上下に組み合わされる上側部材と下側部材とを備えている。上側部材は、上面部と、側面部とを有している。下側部材は、上側部材の側面部と組み合わされた側面部と、底部とを有している。上側部材と下側部材とが組み合わされる部位は、便器本体の後部の中央部において前方に向けて凹んでいる。脚は、底部の、前後左右の隅部にそれぞれに装着された脚部を備えている。
【０００５】
また、特許文献１のポータブルトイレにおいて、例えば、脱臭ダクトは、トレイに設けられているが、トレイへの取り付けや取り外しが複雑であった。ここでは、ポータブルトイレについて、全く新しい脱臭ダクトの構造を提案する。
【０００６】
かかる観点において、ここで提案されるポータブルトイレは、便器本体と、脱臭ダクトとを備えている。ここで、便器本体は、バケツを収容する収容部と、脱臭ダクトが配置される脱臭ダクト配置部とを有している。脱臭ダクト配置部は、配置される脱臭ダクトに対向する側面を有し、かつ、当該側面にガイドを有している。脱臭ダクトは、ガイドに係合し、当該ガイドに沿って案内される係合部を有している。
【０００７】
また、ここで、脱臭ダクト配置部は、側面として、当該脱臭ダクト配置部に配置された脱臭ダクトを挟む２つの側面を有していてもよい。この場合、当該２つの側面は、脱臭ダクトの外側面に対向し、それぞれ前記ガイドを有しており、脱臭ダクトは、２つの側面に形成されたガイドにそれぞれ装着される少なくとも２つの係合部を有していてもよい。
【０００８】
また、便器本体の脱臭ダクト配置部は、予め定められた一の方向に開放されており、ガイドは、脱臭ダクト配置部の側面の前記一の方向の端部に至っていてもよい。例えば、便器本体は、脱臭ダクト配置部の上部が開放されており、ガイドは、脱臭ダクト配置部の側面の上方の端部に至っていてもよい。
【０００９】
また、脱臭ダクト配置部の予め定められた位置に、ガイドの終端が設定されていてもよい。また、脱臭ダクト配置部は、便器本体の後方に配置されていてもよい。また、脱臭ダクト配置部は、便器本体の後方の中央部に配置されていてもよい。
【００１０】
また、ガイドおよび係合部は、直線に沿って設けられていてもよい。また、ガイドは溝であり、係合部は突起であってもよい。また、ガイドは突出した突出部であり、係合部は突出部に嵌る窪みであってもよい。
【００１１】
また、便器本体に予め定められた位置に配置された脱臭装置を備えていてもよい。この場合、脱臭装置を便器本体に予め定められた位置に配置することによって、脱臭装置と脱臭ダクトが係合し、脱臭ダクト配置部に脱臭ダクトが保持されていてもよい。
【００１２】
また、脱臭ダクトは、脱臭装置が接続される接続口を有していてもよい。この場合、脱臭装置は、接続口に接続される被接続口を有していてもよい。また、接続口と被接続口とは、脱臭ダクト配置部において、ガイドに沿った当該脱臭ダクトが移動しうる方向とは異なる方向において嵌り合っていてもよい。
【図面の簡単な説明】
【００１３】
【図１】図１は、ポータブルトイレ１０の斜視図である。
【図２】図２は、ポータブルトイレ１０の斜視図である。
【図３】図３は、ポータブルトイレ１０の斜視図である。
【図４】図４は、ポータブルトイレ１０の斜視図である。
【図５】図５は、便器本体１００の平面図である。
【図６】図６は、便器本体１００の左側を示す側面図である。
【図７】図７は、図６のＶＩＩ−ＶＩＩ断面矢視図であり、便器本体１００の縦断面図である。
【図８】図８は、バケツ４０とトレイ５０が配置された便器本体１００の縦断面図である。
【図９】図９は、上側部材２１０の底面図である。
【図１０】図１０は、上側部材２１０の周縁部の断面を拡大した拡大断面図である。
【図１１】図１１は、下側部材２２０の平面図である。
【図１２】図１２は、下側部材２２０の周縁部の断面を拡大した拡大断面図である。
【図１３】図１３は、左側の肘掛３００を示す斜視図である。
【図１４】図１４は、肘掛ベース３０１の中空軸３１４（４１４）を横断した横断平面図である。
【図１５】図１５は、ポータブルトイレ１０の平面図である。
【図１６】図１６は、便器本体１００の平面図である。
【図１７】図１７は、便器本体１００の平面図である。
【図１８】図１８は、便器本体１００の縦断側面図である。
【図１９】図１９は、脱臭ダクト７００およびその周辺を拡大した断面図である。
【図２０】図２０は、脱臭ダクト７００が配置される部位およびその周辺を拡大した断面図である。
【図２１】図２１は、脱臭ダクト７００の正面図である。
【図２２】図２２は、脱臭ダクト７００の左側の側面図である。
【図２３】図２３は、図２１のＸＸＩＩＩ−ＸＸＩＩＩ断面の断面図である。
【図２４】図２４は、脱臭ダクト７００の背面図である。
【図２５】図２５は、ポータブルトイレ１０の変形例に関し、脱臭ダクト７００およびその周辺を拡大した断面図である。
【発明を実施するための形態】
【００１４】
以下、ここで提案されるポータブルトイレを図面に基づいて説明する。以下の説明において、ポータブルトイレに関し、前、後、左、右というときは、それぞれ便座に腰掛けた使用者から見た方向を基準にしている。図面には、前（Ｆ）、後（Ｂｋ）、左（Ｌ）、右（Ｒ）に対応させて、それぞれ符号Ｆ、Ｂｋ、Ｌ、Ｒが適宜に付されている。また、各図において同じ作用を奏する部材や部位には、同じ符号を付し、適宜に重複する説明を省略している。
【００１５】
ここでは、まず、ポータブルトイレの概要を説明し、その後、ポータブルトイレの脱臭ダクト配置部およびその周辺部の構造を説明する。
【００１６】
《ポータブルトイレ１０》
図１から図４はそれぞれポータブルトイレ１０の斜視図である。ここで、図１は、蓋２０が開いた状態（蓋２０が上げられた状態）を示している。図２は、図１の状態から便座３０を上げ、バケツ４０の蓋４２（バケツ蓋）と、左側の肘掛３００とを取り外した状態を示している。図３は、図２の状態からバケツ４０を取り外した状態を示すポータブルトイレ１０の斜視図である。さらに、図４は、図３の状態からトレイ５０（受け板）、蓋２０および便座３０を取り外した状態を示すポータブルトイレ１０の斜視図である。
【００１７】
ポータブルトイレ１０は、図１から図４に示すように蓋２０と、便座３０と、バケツ４０と、トレイ５０と、便器本体１００と、背もたれ２５０と、肘掛３００、４００と、脚５００、６００と、脱臭装置７５０（図５参照）とを備えている。
【００１８】
《蓋２０》
蓋２０は、ポータブルトイレ１０の便座３０に被せられる部材である。この実施形態では、蓋２０は、図１に示すように、矩形の部材であり、後ろ側の縁にヒンジ２１が取り付けられている。蓋２０は、ヒンジ２１を軸にして回動する。蓋２０は、前後方向の中間部に蝶番２２が取り付けられている。蓋２０は、蝶番２２によって前後方向の中間部で折り曲げることができる。折り曲げられた蓋２０は、背もたれ２５０に設けられた開口２５１を通すことができる。背もたれ２５０に設けられた開口２５１に蓋２０を通すことによって、蓋２０の姿勢は、背もたれ２５０の前で便座３０の上に配置された姿勢（図１５参照）と、背もたれ２５０の後ろに引き上げた姿勢（図１に示す状態）とで適宜に変えられる。
【００１９】
《便座３０》
便座３０は、図１に示すように、便器本体１００の上面の中央部に配置されている。この実施形態では、便座３０は、後部の縁に設けられたヒンジ３１を介して便器本体１００に取り付けられている。そして、便座３０の姿勢は、図１に示すように、便器本体１００の上面に配置された姿勢と、図２に示すように、便器本体１００の上面から引き上げられた姿勢とで適宜に変えられる。この実施形態では、便座３０は、使用者がお尻を受ける座面を有する。便座３０の中央には開口３２が形成されている。
【００２０】
《バケツ４０》
バケツ４０は、使用者の排便を受けるバケツであり、「汚物受け」と称されうる。この実施形態では、バケツ４０は、上部が開口した底が深い有底の容器である。図３および図４に示すように、便器本体１００は、当該バケツ４０を収容する窪んだ収容部１０１を有している。収容部１０１は、「汚水受け」とも称されうる。バケツ４０と収容部１０１は、異形形状であり、バケツ４０は予め定められた向きで収容部１０１に収められる。図２に示すように、バケツ４０の上縁には取っ手４１が取り付けられている。バケツ４０が収容部１０１に収容された状態では、取っ手４１はバケツ４０の後方へ廻される。また、図１に示すように、バケツ４０の開口には蓋４２（バケツ蓋）が装着される。
【００２１】
《トレイ５０》
この実施形態では、図３に示すように、便器本体１００の収容部１０１を囲むように便器本体１００の上部にトレイ５０が置かれている。トレイ５０は、便器本体１００の上面に置かれている。トレイ５０の上には便座３０が配置される。トレイ５０の中央部には、収容部１０１の上部開口に合わせた形状の開口５１が形成されている。トレイ５０の開口５１の縁およびトレイ５０の外縁には、上方に向けて連続して立ち上がった壁５２、５３がそれぞれ設けられている。トレイ５０の上に落ちた汚水は、かかる壁５２、５３によってトレイ５０の上面に受けられる。
【００２２】
また、トレイ５０には、蓋２０のヒンジ２１を取り付ける基部５４（図１参照）と、便座３０のヒンジ３１を取り付ける基部５５とが設けられている。蓋２０のヒンジ２１の基部５４と、便座３０のヒンジ３１の基部５５とは、それぞれトレイ５０の上面の左右両側部にそれぞれ設けられている。蓋２０のヒンジ２１を取り付ける基部５４は、トレイ５０の上面において、トレイ５０の後端部に設けられている。便座３０のヒンジ３１を取り付ける基部５５は、トレイ５０の上面において、蓋２０のヒンジ２１を取り付ける基部５４よりも前側に設けられている。また、トレイ５０の外縁の壁５３には、後部の中央部分にダクト装着口５６が設けられている。ここでは、ダクト装着口５６は、便器本体１００の左右方向に延びた略長方形状である。また、トレイ５０は、当該ダクト装着口５６の上縁から後方に延びたカバー部５７（図１８参照）を備えている。
【００２３】
≪トレイ５０の取り外し≫
この実施形態では、図１に示すように、便座３０および蓋２０をトレイ５０に取り付けた状態で、便器本体１００からトレイ５０を取り外すことができる。なお、トレイ５０を便器本体１００から取り外す際には、図３に示すように、トレイ５０および便器本体１００からバケツ４０を取り外しておくとよい。そして、便座３０および蓋２０をそれぞれトレイ５０の上に被せた状態（図示省略）で、便座３０および蓋２０と一緒にトレイ５０を、便器本体１００から引き上げて取り外すとよい。図４は、上記のように便器本体１００からトレイ５０が取り外された状態が図示されている。なお、図４では、左側の肘掛３００が取り外されているが、背もたれ２５０および左右両側の肘掛３００、４００（図１参照）が便器本体１００に取り付けられた状態で、トレイ５０、便座３０および蓋２０は、便器本体１００から取り外すことができる。
【００２４】
この実施形態では、便器本体１００は、脱臭ダクト７００を取り付ける脱臭ダクト配置部１６２と、脱臭装置７５０を取り付ける脱臭装置配置部１６１とを有している。脱臭ダクト配置部１６２および脱臭装置配置部１６１には、脱臭ダクト７００および脱臭装置７５０を取り付ける取付部材１６０が取り付けられている。図４に示すように、トレイ５０を取り外すことによって、便器本体１００の上面部１０２に、便器本体１００の脱臭ダクト配置部１６２、脱臭ダクト７００および脱臭装置７５０が現われる。
【００２５】
《便器本体１００》
次に、便器本体１００を説明する。便器本体１００は、図４に示すように、収容部１０１と、上面部１０２と、外郭部１０３と、底部１０４と、脱臭ダクト配置部１６２と、脱臭装置配置部１６１とを有している。
【００２６】
ここで、図５は、便器本体１００の平面図である。図６は、便器本体１００の左側を示す側面図である。図７は、図６のＶＩＩ−ＶＩＩ断面矢視図であり、便器本体１００の縦断面図である。図８は、図７に示された便器本体１００の縦断面図に、バケツ４０とトレイ５０を書き加えたものである。なお、図５は、便器本体１００の脱臭ダクト配置部１６２から取付部材１６０が取り外された状態が示されている。脱臭装置７５０が取り付けられる位置は、２点鎖線（仮想線）で示されている。
【００２７】
《収容部１０１》
図７および図８に示すように、収容部１０１は、バケツ４０が収められた窪んだ部位である。この実施形態では、バケツ４０の上縁４３は、周方向に連続して外側に屈曲している。バケツ４０は、トレイ５０の開口５１から便器本体１００の収容部１０１に収められ、かつ、トレイ５０の開口５１の周縁に連続して立ち上がった壁５２の上端に、バケツ４０の上縁４３を引っ掛けて載置されている。この実施形態では、便器本体１００の後部には、脱臭装置７５０を取り付ける脱臭装置配置部１６１（図５参照）が設けられている。収容部１０１の後部には、脱臭装置７５０へ臭気を導く脱臭ダクト７００が取り付けられる。また、この実施形態では、収容部１０１の後部には、脱臭ダクト７００からの排水を受ける受け部２１６および受け部２１６で受けた排水を収容部１０１へ導く溝状の排出路２１６ａが設けられている。
【００２８】
《上面部１０２》
上面部１０２は、図３、図４、図７および図８に示すように、収容部１０１の上部周辺に設けられている。上面部１０２の上には、図１に示すように、便座３０が配置される。なお、この実施形態では、図１および図８に示すように、上面部１０２の上には、トレイ５０が配置され、その上に便座３０が配置されている。上面部１０２には、図５に示すように、肘掛取付部２１１、２１２と、背もたれ取付部２１３、２１４とが設けられている。
【００２９】
《外郭部１０３、底部１０４》
外郭部１０３は、図７に示すように、収容部１０１の少なくとも外側面１１１を囲う部位である。底部１０４は、外郭部１０３の下端から連続し、便器本体１００の底を形成する部位である。ポータブルトイレ１０は、便器本体１００の少なくとも前面において、上面部１０２の周縁を形成する面１１２（この実施形態では、上面部１０２の周縁の周側面）と、外郭部１０３を形成する面１１３（この実施形態では、外郭部１０３の側面）とが連続している。さらに、外郭部１０３を形成する面１１３と、底部１０４を形成する面１１４とが連続している。そして、ポータブルトイレ１０の脚５００、６００は、図１に示すように、便器本体１００の底部１０４の左右にそれぞれ独立して取り付けられている。
【００３０】
なお、ここで、面が連続しているとは、外観上、面が一連に連なっていることをいう。例えば、ここでは、便器本体１００の少なくとも前面において、ポータブルトイレ１０の外郭部１０３を構成する上面部１０２の周縁を形成する面１１２と、外郭部１０３を形成する面１１３とは、一連に連なっている。また、この実施形態では、便器本体１００は、後述するように上側部材２１０と下側部材２２０とで構成されている。ここで、上側部材２１０と下側部材２２０とは、外側面が一連に連なるように組み合わされている。かかる箇所では、「面が連続している」とする。また、意匠上の多少の凹凸や段差などは、問題としない。
【００３１】
このポータブルトイレ１０では、図１、図６、図７および図８に示すように、バケツ４０を収容している収容部１０１の外側面１１１が外郭部１０３に囲われている。このため、バケツ４０を収容している収容部１０１が外観上見えにくい。また、ポータブルトイレ１０の前面において、上面部１０２の周縁を形成する面１１２と、外郭部１０３を形成する面１１３とが連続している。また、外郭部１０３を形成する面１１３（この実施形態では、外郭部１０３の側面）と、底部１０４を形成する面１１４とが連続している。つまり、ポータブルトイレ１０の前面において、便器本体１００を構成する部材の縁が下方に張り出していない。このため、ポータブルトイレ１０の前面では、使用者および介助者の足が、ポータブルトイレ１０の下端に引っ掛かりにくい。
【００３２】
さらにポータブルトイレ１０の前面において、便器本体１００の外郭部１０３は、上面部１０２の周縁から底部１０４へ向かうにつれて後方に傾斜している。このため、図１に示すように、ポータブルトイレ１０に座った使用者が体の近くに足を引き寄せる空間Ｓ１が、ポータブルトイレ１０の前面下部、使用者の足元に形成されている。ポータブルトイレ１０の前面下部にこのような空間Ｓ１があると、使用者は、ポータブルトイレ１０に座った状態で、自らの重心の近くに足を引き寄せることができ、ポータブルトイレ１０から立ち上がりやすくなる。また、介助者にとっても、ポータブルトイレ１０の前面に足を踏み入れる空間Ｓ１があるので、ベッドとポータブルトイレ１０との間で使用者が乗り移るのを介助するのが容易になる。また、この実施形態では、便器本体１００の外郭部１０３は、ポータブルトイレ１０の前面と左右の両側面とが連続した面で形成されており、上面部１０２の周縁から底部１０４へ向かうにつれて少し内側に傾斜している。かかる外郭形状によって、使用者がベッドに乗り移る際に、便器本体１００が邪魔になりにくい。
【００３３】
《上側部材２１０と下側部材２２０》
この実施形態では、ポータブルトイレ１０は、樹脂製（樹脂成形品）である。便器本体１００は、上側部材２１０と下側部材２２０とを備えている。上側部材２１０と下側部材２２０とは上下に組み合わされている。かかる構造によって、樹脂成形による便器本体１００の作製を容易にし、かつ、便器本体１００に所要の剛性を確保している。
【００３４】
この実施形態では、上下に組み合わされた上側部材２１０と下側部材２２０の後部の中央部には、図５に示すように、前方に向けて窪んだ窪み２１５が設けられている。また、当該窪み２１５の前面の上部中央は下方に窪んでおり、上述した収容部１０１の後部に通じる受け部２１６および溝状の排出路２１６ａが設けられている。当該便器本体１００の後部の窪み２１５には、図４に示すように、取付部材１６０が取り付けられ、脱臭ダクト７００を配置する脱臭ダクト配置部１６２と、脱臭装置７５０を配置する脱臭装置配置部１６１とが設けられている。
【００３５】
ここで、上側部材２１０には、便器本体１００のうち収容部１０１と上面部１０２とが含まれている。下側部材２２０には、外郭部１０３の少なくとも一部と底部１０４とが含まれている。なお、上側部材２１０は、収容部１０１と上面部１０２とが含まれているとよく、外郭部１０３の一部（上部）が含まれていてもよい。また、下側部材２２０には、外郭部１０３の少なくとも一部（下部）と底部１０４とが含まれているとよく、外郭部１０３の一部（上部）が含まれていなくてもよい。また、上面部１０２と外郭部１０３、および、外郭部１０３と底部１０４などは、境界が明確に定められるものではない。
【００３６】
《上側部材２１０》
図９は、上側部材２１０の底面図である。図１０は、上側部材２１０の周縁部の断面を拡大した拡大断面図である。この実施形態では、上側部材２１０は、一体的な成形品である。上側部材２１０には、図５、図８および図９に示すように、バケツ４０が収容される収容部１０１と、上面部１０２とが含まれている。また、上面部１０２には、肘掛取付部２１１、２１２と、背もたれ取付部２１３、２１４とが設けられている。肘掛取付部２１１、２１２と、背もたれ取付部２１３、２１４とについては、後で述べる。
【００３７】
図９に示すように、上側部材２１０の周縁は全周にわたって下方に屈曲している。上側部材２１０の下縁２１０ａには、図１０に示すように、凡そ全周にわたって内側に段差２１０ａ１を有し、外側面に沿って下方に延びた係合片２１０ａ２が設けられている。
【００３８】
上側部材２１０の周縁には、図９に示すように、上側部材２１０と下側部材２２０とを組み付けるための複数のピン２１０ｂが設けられている。ピン２１０ｂは、便器本体１００の内側に設けられており、上側部材２１０の底面において下方に突出している。この実施形態では、ピン２１０ｂは、略矩形の上側部材２１０の四隅に設けられている。また、上側部材２１０の周縁には、上側部材２１０と下側部材２２０とを組み付けるための複数のねじ穴２１０ｃが形成されている。また、上側部材２１０の裏面（内面）には、リブが適当に配置されている。また、収容部１０１の底１０１ａには、底の周縁に沿って下方に突出した底面リブ１０１ａ１がある。また、上側部材２１０の後部の中央部に設けられた窪み２１５の周縁部には、脱臭装置７５０を取り付けるための取付孔２１０ｄが形成されている。
【００３９】
《下側部材２２０》
図１１は、下側部材２２０の平面図である。図１２は、下側部材２２０の周縁部の断面を拡大した拡大断面図である。この実施形態では、下側部材２２０は、一体的な成形品である。下側部材２２０には、底部１０４と、外郭部１０３とが含まれている。下側部材２２０は、全体として有底の略矩形の箱形状であり、底部１０４には、上側部材２１０の収容部１０１の底１０１ａに対向する部位に開口１０４ａが形成されている。開口１０４ａの縁には、周方向に連続した突起１０４ａ１が設けられている。当該突起１０４ａ１は、上側部材２１０と下側部材２２０とを上下に組み合わせた際に、上側部材２１０の収容部１０１の底１０１ａに形成された底面リブ１０１ａ１の内側において立ち上がった状態になる。また、便器本体１００の底部１０４には、脚５００、６００の脚部５０１、５０２、６０１、６０２の上端が装着されるボス１２１〜１２４が設けられている。この実施形態では、ボス１２１〜１２４は、下側部材２２０の底部１０４の前後左右の隅部に設けられている。
【００４０】
図１１に示すように、底部１０４は全周にわたって上方に屈曲し、外郭部１０３に連続している。下側部材２２０の上縁２２０ａには、図１２に示すように、凡そ全周にわたって外側に段差２２０ａ１を有し、内側面に沿って上方に延びた係合片２２０ａ２が設けられている。
【００４１】
また、下側部材２２０の周縁には、図１１に示すように、上側部材２１０に設けられた複数のピン２１０ｂに対応する位置にピン穴２２０ｂが設けられている。ピン穴２２０ｂは、便器本体１００の内側に設けられており、上側部材２１０に設けられたピン２１０ｂがそれぞれ嵌りうる内径を有している。この実施形態では、ピン穴２２０ｂは、略矩形の下側部材２２０の四隅に設けられている。また、下側部材２２０の周縁には、上側部材２１０に形成されたねじ穴２１０ｃに対応する位置にねじ穴２２０ｃが形成されている。また、下側部材２２０の底面には、リブが適当に配置されている。特に、脚５００、６００が取り付けられるボス１２１〜１２４の周囲にはリブ１２１ａ〜１２４ａが放射状に設けられおり、所要の強度が確保されている。
【００４２】
《上側部材２１０と下側部材２２０の組み付け》
図７に示すように、上側部材２１０の下縁２１０ａと下側部材２２０の上縁２２０ａとは、互いに内外に嵌り合っている。この実施形態では、図１０に示すように、上側部材２１０の下縁２１０ａには、凡そ全周にわたって内側に段差２１０ａ１を有し、外側面に沿って下方に延びた係合片２１０ａ２が設けられている。下側部材２２０の上縁２２０ａには、凡そ全周にわたって外側に段差２２０ａ１を有し、内側面に沿って上方に延びた係合片２２０ａ２が設けられている。この実施形態では、図７に示すように、外側面に沿って下方に延びた上側部材２１０の係合片２１０ａ２（図１０参照）と、内側面に沿って上方に延びた下側部材２２０の係合片２２０ａ２（図１２参照）とが内外に嵌り合っている。
【００４３】
この実施形態では、上側部材２１０と下側部材２２０のうち、一方（この実施形態では、上側部材２１０）にピン２１０ｂが設けられ、他方（この実施形態では、下側部材２２０）にピン２１０ｂが嵌るピン穴２２０ｂが設けられている。そして、上側部材２１０と下側部材２２０とが組み合わされる際に、ピン２１０ｂがピン穴２２０ｂに装着されている。また、上側部材２１０と下側部材２２０に設けられたねじ穴２１０ｃ、２２０ｃは、上側部材２１０と下側部材２２０とが組み合わされる際に穴が合い、ビスで止められる。これにより、便器本体１００は一体化される。なお、この実施形態では、上側部材２１０にピン２１０ｂが設けられ、かつ、下側部材２２０にピン穴２２０ｂが設けられている。便器本体１００は、これに限らず、下側部材２２０にピンが設けられ、かつ、上側部材２１０にピン穴が設けられていてもよい。
【００４４】
また、この実施形態では、ピン２１０ｂとピン穴２２０ｂは、それぞれ便器本体１００の内側に設けられており、便器本体１００の外観上現われていない。このため、かかるピン２１０ｂとピン穴２２０ｂは、ポータブルトイレ１０の外観において美感を損なわない。
【００４５】
《水抜き穴》
また、便器本体１００の側面には、水抜き穴が形成されている。この実施形態では、図１１に示すように、下側部材２２０の後部において、上縁２２０ａに水抜き穴となる切欠き２２０ｄが形成されている。当該切欠き２２０ｄは、上側部材２１０と下側部材２２０とが組み合わせた状態で水抜き穴になる。例えば、ポータブルトイレ１０を水洗いした際に、便器本体１００内に水が入る。この際、下側部材２２０の内部に設けられたリブ１２１ａ〜１２４ａに水が残留する。このような場合に、ポータブルトイレ１０の後部を下に向けて放置すると、リブ１２１ａ〜１２４ａを伝って、ポータブルトイレ１０の後部の水抜き穴から便器本体１００の外に水が排出される。このような水抜き穴は、便器本体１００の側面に形成されているとよい。なお、この実施形態では、水抜き穴は、便器本体１００の後側の側面に形成されているが、水抜き穴は、便器本体１００の左右の側面に設けられていてもよいし、便器本体１００の前面に設けられていてもよい。
【００４６】
次に、便器本体１００に設けられた肘掛取付部２１１、２１２と、肘掛取付部２１１、２１２に取り付けられる肘掛３００、４００とを説明する。
【００４７】
《肘掛３００、４００》
ここで、図１３は、左側の肘掛３００を示す斜視図である。肘掛３００、４００は、凡そ同様の構造を有している。図１３中のカッコ内の符号は、右側の肘掛４００の符号を示している。ここでは、左側の肘掛３００には３００番台の符号を付し、右側の肘掛４００の各部位には、左側の肘掛３００の各部位に対応させて４００番台の符号を付している。
【００４８】
肘掛３００（４００）は、図１３に示すように、肘掛ベース３０１（４０１）と、肘掛本体３０２（４０２）と、高さ調節機構３０３（４０３）とを備えている。
【００４９】
《肘掛ベース３０１（４０１）》
肘掛ベース３０１（４０１）は、基部３１１（４１１）と、２本の中空の支柱３１２、３１３（４１２、４１３）と、中空軸３１４（４１４）とを備えている。基部３１１（４１１）は、便器本体１００の上側部材２１０に前後方向に沿って配置される長手のプレートである。２本の支柱３１２、３１３（４１２、４１３）は、基部３１１（４１１）の前後両端部に配置されている。基部３１１（４１１）は、２本の支柱３１２、３１３（４１２、４１３）の中間部の下端よりの位置に架け渡されている。
【００５０】
基部３１１（４１１）には、係合突起３２１（４２１）と、差込穴３２２（４２２）とがある。係合突起３２１（４２１）は、基部３１１（４１１）の下面から、基部３１１（４１１）の長手方向に沿って下方に突出した突起である。差込穴３２２（４２２）は、基部３１１（４１１）の中間部前よりに形成されており、肘掛３００、４００を上側部材２１０に固定する固定ピン３５０（４５０）（図１参照）を挿し込む貫通した穴である。また、後側の支柱３１３（４１３）の外周面には、上下に連続して後方に突出した係合片３２３（４２３）が設けられている。肘掛ベース３０１（４０１）の中空軸３１４（４１４）は、基部３１１（４１１）よりも高い位置において、前後一対の支柱３１２、３１３（４１２、４１３）に架設されている。図１に示す例では、右側の肘掛ベース４０１の前側の支柱４１２に、トイレットペーパーホルダ６０が取り付けられている。
【００５１】
《肘掛本体３０２（４０２）》
肘掛本体３０２（４０２）は、肘掛部３４１（４４１）と、可動軸３４２、３４３（４４２、４４３）とを備えている。肘掛部３４１（４４１）は、ポータブルトイレ１０の使用者が肘を掛ける部位である。この実施形態では、肘掛部３４１（４４１）は、長手の形状を有しており、ポータブルトイレ１０の左右において前後方向に延びた状態で設けられる。可動軸３４２、３４３（４４２、４４３）は、肘掛部３４１（４４１）の下部の前後に離れた位置において下方に延びている。肘掛本体３０２（４０２）の前後の２本の中空の可動軸３４２、３４３（４４２、４４３）が、肘掛ベース３０１（４０１）の２本の中空の支柱３１２、３１３（４１２、４１３）に挿入されている。
【００５２】
《高さ調節機構３０３（４０３）》
高さ調節機構３０３（４０３）は、肘掛部３４１（４４１）の高さを調整する機構である。高さ調節機構３０３（４０３）は、肘掛ベース３０１（４０１）の中空軸３１４（４１４）内に内装されている。図１４は、肘掛ベース３０１（４０１）の中空軸３１４（４１４）を横断した横断平面図である。
【００５３】
図１４に示すように、この実施形態では、肘掛本体３０２（４０２）の可動軸３４２、３４３（４４２、４４３）には、穴３６１、３６２（４６１、４６２）が形成されている。当該穴３６１、３６２（４６１、４６２）は、図示は省略するが、長さ方向に沿って、複数形成されている。また、肘掛ベース３０１の支柱３１２、３１３（４１２、４１３）にも、中空軸３１４（４１４）に連通するように貫通した穴３６３、３６４（４６３、４６４）が形成されている。
【００５４】
高さ調節機構３０３（４０３）は、肘掛ベース３０１の中空軸３１４（４１４）の内部に突起３８１、３８２（４８１、４８２）を有している。突起３８１、３８２（４８１、４８２）は、可動軸３４２、３４３（４４２、４４３）に向かって突出するように、中空軸３１４（４１４）に装着されている。中空軸３１４（４１４）には、バネ３８３、３８４（４８３、４８４）が内装されている。バネ３８３、３８４（４８３、４８４）は、中空軸３１４（４１４）から支柱３１２、３１３（４１２、４１３）の内部に突起３８１、３８２（４８１、４８２）が突出するように突起３８１、３８２（４８１、４８２）を付勢するかかる突起３８１、３８２（４８１、４８２）は、中空軸３１４（４１４）に沿ってスライド可能に取り付けられた摘み３８５、３８６（４８５、４８６）と一体的な部材である。摘み３８５、３８６（４８５、４８６）を操作することによって、支柱３１２、３１３（４１２、４１３）の内部に突出した突起３８１、３８２（４８１、４８２）は、支柱３１２、３１３（４１２、４１３）から引き抜かれる。
【００５５】
当該突起３８１、３８２（４８１、４８２）は、支柱３１２、３１３（４１２、４１３）の内部に突出した状態では、肘掛本体３０２（４０２）の可動軸３４２、３４３（４４２、４４３）の穴３６１、３６２（４６１、４６２）に嵌る。この際、可動軸３４２、３４３（４４２、４４３）の長さ方向に沿って形成された複数の穴３６１、３６２（４６１、４６２）のうち、何れかの穴に当該突起３８１、３８２（４８１、４８２）を嵌めるとよい。突起３８１、３８２（４８１、４８２）を嵌める穴３６１、３６２（４６１、４６２）を変えることによって、肘掛部３４１（４４１）の高さが調整される。つまり、かかる高さ調節機構３０３（４０３）によって、肘掛ベース３０１（４０１）の２本の中空の支柱３１２、３１３（４１２、４１３）に対し、肘掛本体３０２（４０２）の可動軸３４２、３４３（４４２、４４３）が挿入された長さが変化する。これにより、便器本体１００に対する肘掛部３４１（４４１）の高さが調整される。
【００５６】
《肘掛取付部２１１、２１２》
上側部材２１０には、かかる肘掛３００、４００が取り付けられる肘掛取付部２１１、２１２が設けられている。肘掛取付部２１１、２１２は、上側部材２１０の上面部１０２の左右において、それぞれ肘掛３００、４００を取り付ける位置に設けられている。肘掛取付部２１１、２１２は、それぞれ左右の肘掛３００、４００の下部に対応した形状を有している。
【００５７】
肘掛取付部２１１、２１２は、図２、図５および図１３に示すように、それぞれ肘掛３００、４００の基部３１１（４１１）が嵌る前後に延びた長手の窪み２２１、２２２を有している。当該窪み２２１、２２２には、縦穴２２３、２２４、２２５、２２６と、係合溝２２７、２２８と、鍵穴２３１、２３２が形成されている。上側部材２１０の裏面には、特に肘掛取付部２１１、２１２の裏面にリブが多く配置されている。かかるリブによって肘掛３００、４００のぐらつきが小さく抑えられるとともに所要の耐荷重を確保することができる。
【００５８】
ここで、左側の窪み２２１には、左側の肘掛３００の基部３１１（図１３参照）が嵌る。また、左側の窪み２２１に形成された縦穴２２３、２２５には、基部３１１から下方に突出した支柱３１２、３１３（図１３参照）の下端部３１２ａ、３１３ａがそれぞれ嵌る。左側の窪み２２１に形成された係合溝２２７には、左側の肘掛３００の基部３１１の下面から下方に突出した係合突起３２１（図１３参照）が嵌る。さらに、左側の窪み２２１に形成された鍵穴２３１は、左側の肘掛３００の基部３１１に形成された差込穴３２２に対応する位置に形成されている。当該左側の肘掛３００は、支柱３１２、３１３（図１３参照）の下端部３１２ａ、３１３ａを、便器本体１００の肘掛取付部２１１の縦穴２２３、２２５に挿入し、基部３１１を窪み２２１に嵌める。そして、差込穴３２２および鍵穴２３１に固定ピン３５０（図１参照）を装着する。これによって、左側の肘掛３００を便器本体１００に固定することができる。
【００５９】
また、右側の窪み２２２には、右側の肘掛４００の基部４１１が嵌る。また、右側の窪み２２２に形成された縦穴２２４、２２６には、基部４１１から下方に突出した支柱４１２、４１３（図１３参照）の下端部４１２ａ、４１３ａがそれぞれ嵌る。右側の窪み２２２に形成された係合溝２２８には、右側の肘掛４００の基部４１１の下面から下方に突出した係合突起４２１（図１３参照）が嵌る。さらに、右側の窪み２２２に形成された鍵穴２３２は、右側の肘掛４００の基部４１１に形成された差込穴４２２に対応する位置に形成されている。そして、当該右側の窪み２２２に右側の肘掛４００の基部４１１を嵌めて、差込穴４２２および鍵穴２３２に固定ピン４５０（図１参照）を装着することによって、右側の肘掛４００を便器本体１００に固定することができる。
【００６０】
ここで、高さ調節機構３０３（４０３）の摘み３８５、３８６（４８５、４８６）は、図１に示すように、肘掛ベース３０１（４０１）の中空軸３１４（４１４）の左右両側に設けられている。このため、肘掛３００、４００の高さ調節機構３０３（４０３）は、ポータブルトイレ１０の内側および外側の両側からも操作できる。
【００６１】
図１５は、ポータブルトイレ１０の蓋２０を閉じた状態での平面図である。この実施形態では、左右の肘掛３００、４００は、平面視において、肘掛ベース３０１の支柱３１２、３１３（４１２、４１３）の中心軸を結ぶ線Ｃ１に対して、肘掛部３４１（４４１）が内側に張り出している長さＬ１と、外側に張り出している長さＬ２が異なる。例えば、図１５に示すように、この実施形態では、肘掛部３４１（４４１）が内側に張り出している長さＬ１は、外側に張り出している長さＬ２よりも長い。また、便器本体１００の肘掛取付部２１１、２１２は、左右で同じ構造を有している。つまり、左の肘掛３００を右側の肘掛取付部２１２に取り付けることができ、右の肘掛４００を左側の肘掛取付部２１１に取り付けることができる。左右の肘掛３００、４００を入れ替えることで、ポータブルトイレ１０における肘掛部３４１（４４１）の間隔Ｌ３を変えることができる。これにより、使用者の体格に応じて、肘掛部３４１（４４１）の間隔Ｌ３を調整できる。
【００６２】
なお、この実施形態では、左側の肘掛ベース３０１に取り付けられた肘掛本体３０２を、右側の肘掛ベース４０１に取り付け、右側の肘掛ベース４０１に取り付けられた肘掛本体４０２を、左側の肘掛ベース３０１に取り付けることができる。左右の肘掛ベース３０１、４０１に対して、左右の肘掛本体３０２、４０２を入れ替えることによって、左右の肘掛部３４１、４４１の間隔Ｌ３を調整してもよい。
【００６３】
また、左右の肘掛３００、４００は、使用者や介助者のニーズに応じて適宜に取り外すことができる。また、ポータブルトイレ１０は、便器本体１００から肘掛３００、４００を取り外した際に、便器本体１００の肘掛取付部２１１、２１２に被せることができるカバーが付属されているとよい。かかるカバーは、肘掛取付部２１１、２１２に取り付けられた際に、便器本体１００の上面を平坦にする形状であるとよい。
【００６４】
また、肘掛ベース３０１（４０１）の後側の支柱３１３（４１３）の外周面に、上下に連続して後方に突出した係合片３２３（４２３）は、後述する背もたれ２５０に形成された係合溝２５６、２５７（図１〜図４参照）にそれぞれ係合している。
【００６５】
《背もたれ２５０》
次に、ポータブルトイレ１０の背もたれ２５０と、便器本体１００の背もたれ取付部２１３、２１４とを説明する。背もたれ取付部２１３、２１４は、図５に示すように、便器本体１００の上面において、後部の左右両側にそれぞれ設けられている。背もたれ２５０は、図１に示すように、便器本体１００の上面において、蓋２０を後方に通すことができる開口２５１を有している。この背もたれ２５０は、左右の柱部２５２、２５３と、背もたれ部２５４と、クッション２５５とを備えている。柱部２５２、２５３は、ポータブルトイレ１０の背部において、便器本体１００の左右両側に設けられた背もたれ取付部２１３、２１４に取り付けられる。柱部２５２、２５３は、便器本体１００の背もたれ取付部２１３、２１４から上方に立ち上がっている。背もたれ部２５４は、柱部２５２、２５３の上端に架け渡されている。クッション２５５は、背もたれ部２５４の前面に取り付けられている。また、背もたれ２５０の下端部の前面には、肘掛３００、４００の係合片３２３、４２３が係合する係合溝２５６、２５７が形成されている。
【００６６】
《脚５００、６００》
次に、脚５００、６００は、図１に示すように、それぞれ２本の脚部５０１、５０２（６０１、６０２）と、フロントベース部５０３（６０３）と、リヤベース部５０４（６０４）と、連結部５０５（６０５）とを備えている。なお、ここで、左側の脚５００の各部材および部位には５００番台の符号を付している。右側の脚６００の各部材および部位には、左側の脚５００に対応させて、６００番台の符号を付している。また、右側の脚６００の、脚部６０２と、リヤベース部６０４と、連結部６０５とは、図１において、便器本体１００に隠れており、図示されていない。右側の脚６００の脚部６０２と、リヤベース部６０４と、連結部６０５とは、それぞれ左側の脚５００の脚部５０２と、リヤベース部５０４と、連結部５０５と凡そ左右が対象な構造を有している。
【００６７】
２本の脚部５０１、５０２（６０１、６０２）は、便器本体１００の左右において、それぞれ前後に配置されている。この実施形態では、脚部５０１、５０２（６０１、６０２）の上端は、便器本体１００の底部１０４には設けられたボス１２１〜１２４（図１１参照）に装着されている。脚部５０１、５０２（６０１、６０２）は、長さを調節する構造（長さ調節構造８００）を備えている。脚部５０１、５０２（６０１、６０２）の長さを調節することによって、ポータブルトイレ１０の便座３０の高さを調整することができる。
【００６８】
フロントベース部５０３（６０３）は、前側の脚部５０１（６０１）の下端から前方に延びた部位である。リヤベース部５０４（６０４）は、後ろ側の脚部５０２（６０２）の下端から後方に延びた部位である。この実施形態では、リヤベース部５０４（６０４）の後端には、キャスター５０６（６０６）が取り付けられている。図１では、右側のリヤベース部６０４（図１５参照）および右側のリヤベース部６０４の後端に取り付けられたキャスター６０６（図１５参照）は、便器本体１００に隠れており、図示されていない。
【００６９】
この実施形態では、便器本体１００の下に２本の脚部５０１、５０２（６０１、６０２）があり、フロントベース部５０３（６０３）が、前側の脚部５０１（６０１）の下端から前方に延びている。また、リヤベース部５０４（６０４）は、後ろ側の脚部５０２（６０２）の下端から後方に延びている。つまり、このポータブルトイレ１０は、単純な４本足の椅子のような構造ではない。かかるフロントベース部５０３（６０３）によって、ポータブルトイレ１０は前方へ転倒するのが確実に防止されている。また、かかるリヤベース部５０４（６０４）によって、ポータブルトイレ１０は後方へ転倒するのが確実に防止されている。
【００７０】
また、このポータブルトイレ１０は樹脂製である。このような樹脂製のポータブルトイレ１０は、一般的には、木製の簡易トイレなどと比べると、全体が軽量であるとともに剛性が低く、全体として撓みやすい。例えば、ポータブルトイレ１０の使用者が、肘掛３００、４００の肘掛部３４１、４４１の前側に体重を掛けて立ち上がろうとする場合に撓みやすい。このポータブルトイレ１０は、ポータブルトイレ１０の使用者が、肘掛３００、４００の肘掛部３４１、４４１の前側に体重を掛けて立ち上がろうとする場合に、前方へ傾くように力が掛かる。しかし、脚５００が便器本体１００の前方へ延びた脚５００、６００のフロントベース部５０３、６０３によって、ポータブルトイレ１０が前方への倒れるのが防止される。
【００７１】
また、この実施形態では、ポータブルトイレ１０の下部後方にはリヤベース部５０４（６０４）が延びている。例えば、介助者が背もたれに体重を掛けて、介助作業を行うような場合でも、かかるリヤベース部５０４（６０４）によって、ポータブルトイレ１０が後方へ倒れるのを防止できる。
【００７２】
またポータブルトイレ１０には、脚５００、６００の脚部５０１、５０２（６０１、６０２）の基端にも大きな力が作用する。この実施形態では、便器本体１００の底部１０４に、脚部５０１、５０２（６０１、６０２）の上端が装着されるボス１２１〜１２４（図１１参照）が設けられている。さらに、当該ボス１２１〜１２４の周囲にリブ１２１ａ〜１２４ａが放射状に設けられおり、所要の強度が確保されている。かかるリブ１２１ａ〜１２４ａによって、脚部５０１、５０２（６０１、６０２）の上端が装着されたボス１２１〜１２４に所要の剛性が確保されている。このため、脚部５０１、５０２（６０１、６０２）が装着されたボス１２１〜１２４の周辺部分の撓みが小さく抑えられ、ポータブルトイレ１０の撓みが小さく抑えられる。
【００７３】
また、脚５００、６００の脚部５０１、５０２（６０１、６０２）は、便器本体１００の底部１０４に設けられたボス１２１〜１２４（図１１参照）に装着されている。ここでは図示は省略するが、ボス１２１〜１２４は、脚５００、６００の脚部５０１、５０２（６０１、６０２）を保持する構造を備えている。また、脚５００、６００の脚部５０１、５０２（６０１、６０２）は、ボス１２１〜１２４に挿入された長さを調整できる幅がある程度大きく確保されている。これによって、便器本体１００の高さを調整できる幅をより大きく確保できる。
【００７４】
また、連結部５０５（６０５）は、２本の脚部５０１、５０２（６０１、６０２）の下端を繋ぐように前後方向に延び、フロントベース部５０３、６０３とリヤベース部５０４（６０４）とに連続している。かかる連結部５０５（６０５）によって、フロントベース部５０３、６０３とリヤベース部５０４（６０４）とが一体的になる。このため、例えば、ポータブルトイレ１０の使用者が、肘掛３００、４００の前側に体重を掛けて立ち上がろうとする場合に、フロントベース部５０３、６０３の撓みやポータブルトイレ１０の前方への撓みや、リヤベース部５０４（６０４）の後端が浮くのを小さく抑えることができる。
【００７５】
以上のように、ここで提案されるポータブルトイレ１０は、図１から図４に示すように、バケツ４０と、便座３０と、便器本体１００と、脚５００、６００とを備えている。便器本体１００は、バケツ４０が収められる窪んだ収容部１０１と、収容部１０１の上部周辺に設けられ、便座３０が配置される上面部１０２と、収容部１０１の少なくとも外側面１１１を囲う外郭部１０３と、外郭部１０３の下端から連続し、便器本体１００の底を形成する底部１０４とを有している。
【００７６】
そして、図６に示すように、便器本体１００の少なくとも前面において、上面部１０２の周縁を形成する面１１２と、外郭部１０３を形成する面１１３と、底部１０４を形成する面１１４とが連続している。また、脚５００、６００は、便器本体１００の底部１０４の左右においてそれぞれ独立して取り付けられている。上述したように、このポータブルトイレ１０では、使用者および介助者の足が便器本体１００の前面下部に引っ掛かりにくい。
【００７７】
また、便器本体１００の少なくとも前面において、外郭部１０３は上面部１０２の周縁から底部１０４へ向かうにつれて後方に傾斜している。便器本体１００の前面においてポータブルトイレ１０に座った使用者が足を引き寄せる所要の空間Ｓ１が確保されている。
【００７８】
また、便器本体１００は、収容部１０１と上面部１０２とを含む上側部材２１０と、外郭部１０３の少なくとも一部と、底部１０４とを含む下側部材２２０とを備えている。ここでは、上側部材２１０と下側部材２２０とが組み合わされている。このように、かかる構成では、便器本体１００は、例えば、上下半割型であり、上側部材２１０と下側部材２２０の成形が容易になる。
【００７９】
また、この場合、図７に示すように、上側部材２１０の下縁２１０ａと下側部材２２０の上縁２２０ａとは、互いに内外に嵌り合っているとよい。かかる構成によって、上側部材２１０の下縁２１０ａと下側部材２２０の上縁２２０ａの剛性が確保され、便器本体１００全体として高い剛性が得られる。また、この実施形態では、上側部材２１０と下側部材２２０とは、それぞれ一体的な成形品で具現化されている。また、便器本体１００の上面部には、図３に示すように、収容部１０１の上部開口を囲うようにトレイ５０が配置されている。さらに当該トレイ５０の上に便座３０が配置されている。かかるトレイ５０によって、バケツ４０から汚水がこぼれた場合でも、汚水が床に流れ出にくい。
【００８０】
また、この実施形態では、便器本体１００の底部１０４は、図７および図１１に示すように、収容部１０１の底に対向する部位に開口１０４ａを有している。かかる開口により、便器本体１００の軽量化が図られている。また、便器本体１００の収容部１０１の外側面１１１は、全体として外郭部１０３で囲われている。このため、外観上、バケツ４０を収容する部分が見えず、汚物を入れるバケツの印象が薄い。このため、このポータブルトイレ１０は、清潔感が高いデザインになっている。
【００８１】
また、収容部１０１の底１０１ａには、当該底１０１ａの周縁に沿って下方に突出した底面リブ１０１ａ１（図９参照）を有している。かかる底面リブ１０１ａ１によって、収容部１０１の底１０１ａの剛性が確保されている。さらに、便器本体１００の底部１０４の開口１０４ａの縁には、収容部１０１の底面リブ１０１ａ１の内側において立ち上がった突起１０４ａ１が設けられている。このため、便器本体１００を丸洗いした場合に、便器本体１００内に水が残留しても、例えば、上側部材２１０の内面を伝って流れ落ちる水は、収容部１０１の底面リブ１０１ａ１を伝い、下側部材２２０の底部１０４で受けられる。下側部材２２０の底部１０４に流れた水は、開口１０４ａの縁に設けられた突起１０４ａ１よって受けられる。したがって、このポータブルトイレ１０は、便器本体１００内に残留した水は、容易には便器本体１００の底に垂れない。
【００８２】
≪ポータブルトイレ１０の脱臭ダクト配置部１６２およびその周辺部の構造≫
以下、ポータブルトイレ１０の脱臭ダクト配置部１６２およびその周辺部の構造を説明する。
【００８３】
ここで、図１６および図１７は、それぞれ便器本体１００の平面図であり、図１６には、便器本体１００に取付部材１６０が取り付けられた状態が図示されている。図１７には、取付部材１６０に脱臭ダクト７００および脱臭装置７５０が取り付けられた状態が図示されている。
【００８４】
図１８は、便器本体１００の縦断側面図であり、便器本体１００に取り付けられた脱臭ダクト７００およびその周辺が拡大されている。図１８は、図１７のＸＶＩＩＩ−ＸＶＩＩＩ断面に相当する断面おける便器本体１００の縦断側面図である。ただし、図１８では、説明の便宜上、便器本体１００の上部にトレイ５０が配置され、かつ、便器本体１００の収容部１０１にバケツ４０が収容された状態で図示されている点で、図１７に図示された状態と異なる。また、図１８では、蓋２０と便座３０は取り外されている。また、脱臭装置７５０は外観が図示されている。
【００８５】
また、図１９は、図１７のＸＩＸ−ＸＩＸ断面矢視図において、脱臭ダクト７００およびその周辺を拡大した図である。図２０は、図１６のＸＸ−ＸＸ断面矢視図において、脱臭ダクト７００が配置される部位およびその周辺を拡大した図である。
【００８６】
このポータブルトイレ１０は、図５に示すように、便器本体１００の後部の中央部に、前方に向けて窪んだ窪み２１５が設けられている。さらに、当該窪み２１５の前面の上部中央は下方に窪んでおり、上述した収容部１０１の後部に通じる受け部２１６および溝状の排出路２１６ａが設けられている。当該便器本体１００の後部の窪み２１５には、図４に示すように、取付部材１６０が取り付けられ、脱臭ダクト７００を配置する脱臭ダクト配置部１６２と、脱臭装置７５０を配置する脱臭装置配置部１６１とが設けられている。このように、このポータブルトイレ１０は、便器本体１００の後部に、脱臭ダクト配置部１６２と脱臭装置配置部１６１とを備えている。換言すれば、この実施形態では、当該取付部材１６０を介して、便器本体１００の後部に脱臭ダクト７００と脱臭装置７５０とが取り付けられている。
【００８７】
《取付部材１６０》
取付部材１６０は、図１６および図１８に示すように、脱臭ダクト７００と脱臭装置７５０とを便器本体１００に取り付けるための部材である。取付部材１６０は、脱臭装置７５０が配置される脱臭装置配置部１６１と、脱臭ダクト７００が配置される脱臭ダクト配置部１６２とを備えている。
【００８８】
＜脱臭装置配置部１６１＞
脱臭装置配置部１６１は、図１６および図１８に示すように、脱臭装置７５０が収容される部位である。この実施形態では、脱臭装置配置部１６１は、脱臭装置７５０の下部形状に応じて窪んだ略矩形の容器形状を有している。脱臭装置配置部１６１の底面の中央部分には孔１６４が形成されている。また、脱臭装置配置部１６１の上部および後面上部は大きく開口している。また、脱臭装置配置部１６１の前面上部の中央部分は窪んでいる。当該窪みの縁は前方に延びており、脱臭ダクト配置部１６２が設けられている。当該脱臭装置配置部１６１は、便器本体１００の後部の窪み２１５に装着される。当該脱臭ダクト配置部１６２は、便器本体１００の上面後部の受け部２１６が設けられた窪みに装着される。
【００８９】
＜脱臭ダクト配置部１６２＞
脱臭ダクト配置部１６２は、脱臭ダクト７００が配置される部位である。脱臭ダクト配置部１６２は、配置される脱臭ダクト７００に対向する側面（この実施形態では、側壁１６２ａ、１６２ｂ）を有している。また、当該側壁１６２ａ、１６２ｂは、脱臭ダクト７００を案内するためのガイド（この実施形態では、係合凹部１６５、１６６）を有している。
【００９０】
より具体的には、脱臭ダクト配置部１６２は、上述したように脱臭装置配置部１６１の前面上部の中央部に設けられた窪みの縁から前方に延びた部位である。脱臭ダクト配置部１６２は、便器本体１００の上面後部の受け部２１６が設けられた窪みに装着されている。かかる脱臭ダクト配置部１６２は、図１６に示すように、便器本体１００の上面後部の受け部２１６が設けられた窪みの内周面に沿って設けられた側壁１６２ａ、１６２ｂと、底壁１６２ｃを備えている。
【００９１】
脱臭ダクト配置部１６２の側壁１６２ａ、１６２ｂは、それぞれガイドとしての係合凹部１６５、１６６を有している。この実施形態では、係合凹部１６５、１６６は、側壁１６２ａ、１６２ｂの上端から中央部分に至る直線状の溝であり、互いに対向するように側壁１６２ａ、１６２ｂに設けられている。
【００９２】
換言すれば、図１７に示すように、この実施形態では、脱臭ダクト配置部１６２は、当該脱臭ダクト配置部１６２に配置された脱臭ダクト７００を挟む２つの側壁１６２ａ、１６２ｂを有している。２つの側壁１６２ａ、１６２ｂは、脱臭ダクト７００の外側面に対向し、それぞれガイドとしての係合凹部１６５、１６６を有している。
【００９３】
ここで、この実施形態では、便器本体１００は、脱臭ダクト配置部１６２の上部が開放されている。そして、脱臭ダクト配置部１６２に設けられたガイドとしての係合凹部１６５、１６６の上端（ここでは、始端）は、脱臭ダクト配置部１６２の側壁１６２ａ、１６２ｂの上方の端部に至っている。また、係合凹部１６５、１６６の下端（ここでは、終端）は、脱臭ダクト配置部１６２の予め定められた位置に設定されている。また、この実施形態では、ガイドとしての係合凹部１６５、１６６は、直線に沿って設けられている。
【００９４】
また、この実施形態では、脱臭ダクト配置部１６２の底壁１６２ｃは、脱臭ダクト配置部１６２の両側の側壁１６２ａ、１６２ｂの下端から連続している。かかる底壁１６２ｃは、便器本体１００の受け部２１６の上に一部被さっている。底壁１６２ｃには、図１８および図１９に示すように、後述する脱臭ダクト７００の底部から突出した凸部７２１ａが収まるように、切り欠き１６７が形成されている。この切り欠き１６７は、脱臭ダクト配置部１６２の底壁１６２ｃの前端の中央部分に、半円弧状に形成されている。
【００９５】
取付部材１６０のフランジ１６３は、便器本体１００の取付部材１６０に取り付けられる部位である。この実施形態では、フランジ１６３は、上述した脱臭装置配置部１６１および脱臭ダクト配置部１６２の上端から左右両側へ延びている。ここで、フランジ１６３の下面には、便器本体１００の後部の窪み２１５の周囲に設けられた取付孔２１０ｄに対応した位置に、取付ピン１６３ａが下方に突出するように設けられている。
【００９６】
取付部材１６０の脱臭装置配置部１６１は、便器本体１００の後部の窪み２１５に装着され、脱臭ダクト配置部１６２は便器本体１００の受け部２１６に装着される。そして、フランジ１６３に設けられた取付ピン１６３ａを、便器本体１００の後部の窪み２１５の周囲に設けられた取付孔２１０ｄ（図５参照）に嵌めることによって、便器本体１００の後部に取り付けられる。このように、便器本体１００の後部中央には、便器本体１００の上側部材２１０と下側部材２２０とは別体の取付部材１６０が取り付けられている。そして、かかる取付部材１６０によって、便器本体１００の後部中央に、図４および図１６に示すように、脱臭装置配置部１６１および脱臭ダクト配置部１６２が設けられる。
【００９７】
《脱臭ダクト７００》
次に、脱臭ダクト７００について説明する。図２１は、脱臭ダクト７００の正面図である。図２２は、脱臭ダクト７００の左側の側面図である。図２３は、図２１のＸＸＩＩＩ−ＸＸＩＩＩ断面の断面図である。図２４は、脱臭ダクト７００の背面図である。
【００９８】
脱臭ダクト７００は、図１７および図１８に示すように、便器本体１００の脱臭ダクト配置部１６２に取り付けられている。脱臭ダクト７００は、図１８に示すように、便器本体１００の前後方向に開口する略筒状体の部材である。脱臭ダクト７００は、図２１から図２３に示すように、吸引口７１１と、接続口７１２と、排出孔７１３と、係合凸部７２３、７２４を備えている。
【００９９】
＜吸引口７１１＞
吸引口７１１は、図２１に示すように、脱臭ダクト７００の前側の開口であり、脱臭ダクト７００に臭気を引き込む入り口である。この実施形態では、脱臭ダクト７００の吸引口７１１は、図１８に示すように、トレイ５０のダクト装着口５６の内側に装着される。このため脱臭ダクト７００の吸引口７１１は、トレイ５０のダクト装着口５６の内面に応じて、左右方向に広がった略長方形状の開口で形成されている。
【０１００】
＜接続口７１２＞
接続口７１２は、脱臭ダクト７００の後側の開口であり、脱臭装置７５０に接続され、脱臭ダクト７００に引き込まれた臭気を脱臭装置７５０へ送る出口である。この実施形態では、接続口７１２には、図１８に示すように、脱臭装置７５０の吸引口７５４が装着される。接続口７１２は、図１９に示すように、脱臭装置７５０の吸引口７５４に応じて略四角形状に形成されている。具体的には、図１８に示すように、脱臭装置７５０の吸引口７５４の周縁は、前方に立ち上った立ち上り部７５５を有している。かかる立ち上がり部７５５は、脱臭ダクト７００の後端に設けられた接続口７１２の内側に装着されうる。接続口７１２の内側形状は、脱臭装置７５０の立ち上り部７５５の外側形状よりも若干大きく形成されている。
【０１０１】
なお、この実施形態では、脱臭ダクト７００の後端に設けられた接続口７１２は、前端に設けられた吸引口７１１よりも広く開口している。また、前端に設けられた吸引口７１１は、後端に設けられた接続口７１２の高さ方向の中心位置に比べて全体として高い位置に設けられている。
【０１０２】
＜排出孔７１３＞
排出孔７１３は、図１９に示すように、脱臭ダクト７００の底に形成されている。この実施形態では、脱臭ダクト７００の底には、凹部７２１が設けられている。この凹部７２１は、図１８および図１９に示すように、排出孔７１３に向かって徐々に落ち込んでいる。詳しくは、凹部７２１は、排出孔７１３に向かう程、傾斜角度が大きくなる曲線状の斜面となっている。また、脱臭ダクト７００の底の外側には、凹部７２１に応じて下方に突出した凸部７２１ａがある。ここでは、凹部７２１は、脱臭ダクト７００の底の中央部分に設けられている。そして、凹部７２１の中央部分には、排出孔７１３が形成されている。排出孔７１３は、脱臭ダクト７００内に入り込んだ尿等の液体を脱臭ダクト７００の外部へ排出するための孔である。ここでは、排出孔７１３は、略円形状である。
【０１０３】
＜係合凸部７２３、７２４＞
この実施形態では、図１９および図２１に示すように、脱臭ダクト７００の左右両側面の外側には、それぞれ係合凸部７２３、７２４が設けられている。この係合凸部７２３、７２４は、便器本体１００の脱臭ダクト配置部１６２の係合凹部１６５、１６６に係合する。ここでは、係合凸部７２３、７２４は、それぞれ脱臭ダクト７００の左右両側面の中央部分において左右両側に突出している。係合凸部７２３、７２４は、上下方向に縦長な楕円形状であり、それぞれ脱臭ダクト配置部１６２の係合凹部１６５、１６６に装着されうる形状を有している。
【０１０４】
《脱臭装置７５０》
次に、脱臭装置７５０について説明する。脱臭装置７５０は、図１８に示すように、ケース７５２と、蓋７５３と、を備えている。ケース７５２は、略矩形の容器であり、上端が開口している。ここでは、ケース７５２は、前側部材７５２ａと、後側部材７５２ｂとを有している。前側部材７５２ａは、ケース７５２を前後に半割した状態における前側部分を構成している。後側部材７５２ｂは、ケース７５２を前後に半割した状態における後側部分を構成している。前側部材７５２ａと後側部材７５２ｂとを組み合わせることによって、上端が開口した矩形の容器となる。蓋７５３は、前側部材７５２ａと後側部材７５２ｂとを組み合わせたケース７５２の上端を閉じる部材である。ここでは、ケース７５２には、臭気を吸引するための臭気吸引ファン（図示せず）、および、取り込んだ臭気を脱臭するための脱臭剤（図示せず）等が内装されているとよい。
【０１０５】
また、ケース７５２の前面の上部には、吸引口７５４が形成されている。吸引口７５４は、脱臭装置７５０内に臭気を取り込む部位である。また、吸引口７５４の周縁には、ケース７５２の前面から前方へ立ち上った立ち上り部７５５が設けられている。また、ケース７５２の底面には、排出口（図示せず）が形成されている。この排出口は、脱臭装置７５０内に取り込まれた臭気が脱臭剤によって脱臭され、その脱臭された空気が排出される部位である。
【０１０６】
≪脱臭ダクト７００および脱臭装置７５０の装着≫
図１７および図１８に示すように、脱臭ダクト７００は、便器本体１００の脱臭ダクト配置部１６２に装着され、脱臭装置７５０は、便器本体１００の脱臭装置配置部１６１に装着される。
【０１０７】
まず、脱臭ダクト７００は、脱臭ダクト７００の吸引口７１１を便器本体１００の収容部１０１に向けて、脱臭ダクト配置部１６２の上側から、脱臭ダクト配置部１６２に装入される。このとき、脱臭ダクト７００の左右両側の係合凸部７２３、７２４は、それぞれ脱臭ダクト配置部１６２の左右両側の係合凹部１６５、１６６に嵌められる。この際、係合凸部７２３、７２４は、係合凹部１６５、１６６の上端から係合凹部１６５、１６６に沿って挿入され、脱臭ダクト配置部１６２の予め定められた位置に収められる。この実施形態では、脱臭ダクト７００の係合凸部７２３、７２４の下端が、脱臭ダクト配置部１６２の係合凹部１６５、１６６の下端に当接した位置で、脱臭ダクト配置部１６２に対する脱臭ダクト７００の位置が定まる。かかる係合凹部１６５、１６６と係合凸部７２３、７２４との係合によって、脱臭ダクト７００は、脱臭ダクト配置部１６２に対して前後方向および左右方向に位置決めされる。
【０１０８】
また、この実施形態では、脱臭ダクト７００の底には、下方に突出した凸部７２１ａがあるが、脱臭ダクト７００が脱臭ダクト配置部１６２に装着された際には、当該凸部７２１ａは、脱臭ダクト配置部１６２の底壁１６２ｃに形成された切り欠き１６７に収まる。このように、脱臭ダクト７００は、この実施形態において、便器本体１００に取り付けられる取付部材１６０に干渉することなく、脱臭ダクト配置部１６２の予め定められた位置に配置されている。また、当該凸部７２１ａには、脱臭ダクト７００の排出孔７１３が形成されている。当該排出孔７１３の下方には、便器本体１００の受け部２１６が配置されている。
【０１０９】
次に、脱臭装置配置部１６１に脱臭装置７５０が取り付けられる。図１８に示すように、この実施形態では、脱臭装置配置部１６１は、上部および後面上部が大きく開口している。脱臭装置７５０は、上部を斜め後ろに少し傾けた状態で、脱臭装置配置部１６１に装入される。そして、脱臭装置７５０は、吸引口７５４の周縁から前方に立ち上った立ち上り部７５５を脱臭ダクト７００の接続口７１２に挿入しつつ、脱臭装置配置部１６１に収容される。かかる脱臭装置７５０の立ち上り部７５５が脱臭ダクト７００の接続口７１２に挿入されることによって、脱臭ダクト７００は上下方向の動きが規制される。以上のようにして、脱臭ダクト７００および脱臭装置７５０は、取付部材１６０を介して便器本体１００の脱臭装置配置部１６１に配置されている。
【０１１０】
この実施形態では、図３および図４に示すように、脱臭ダクト７００および脱臭装置７５０を便器本体１００に取り付けた状態で、便器本体１００の上部にトレイ５０が配置される。この際、図１８および図１９に示すように、脱臭ダクト７００の吸引口７１１の外側に、トレイ５０の後部のダクト装着口５６が被せられる。また、トレイ５０のカバー部５７が、脱臭ダクト７００の上に配置される。また、トレイ５０の後部は、脱臭装置７５０の上に被さる。また、脱臭ダクト７００の吸引口７１１は、収容部１０１に向けて開口している。
【０１１１】
このように、脱臭ダクト７００は、便器本体１００からバケツ４０およびトレイ５０が取り外された状態において、便器本体１００に取り付けられた取付部材１６０に対して着脱可能に取り付けられている。換言すると、脱臭ダクト７００は、便器本体１００に対して着脱可能に取り付けられている。
【０１１２】
使用時には、図２に示すように、便器本体１００の収容部１０１には、バケツ４０が収容される。さらに、図１に示すように、バケツ４０の上には便座３０が配置される。さらに、便座３０の開口には、使用者の臀部が嵌る。このため、脱臭装置７５０を作動させることによって、バケツ４０の臭気は、便座３０の下面とトレイ５０の上面、あるいは、便器本体１００の上面との隙間、脱臭ダクト７００の吸引口７１１および脱臭ダクト７００を通じて、脱臭装置７５０に吸引される。また、この実施形態では、脱臭ダクト７００の底に排出孔７１３が形成されている。さらに、排出孔７１３の下方には、便器本体１００の受け部２１６があり、受け部２１６には便器本体１００の収容部１０１に通じる排出路２１６ａが設けられている。このため、脱臭ダクト７００に水が入り込んでも、排出孔７１３から受け部２１６に排出された水は、排出路２１６ａを通じて便器本体１００の収容部１０１に流れていく。また、脱臭ダクト７００は、上述したように便器本体１００から取り外すことが簡単であるから、取り外して洗うことも可能である。
【０１１３】
以上のとおり、このポータブルトイレ１０は、便器本体１００と、脱臭ダクト７００とを備えている。便器本体１００は、バケツ４０を収容する収容部１０１と、脱臭ダクト７００が配置される脱臭ダクト配置部１６２とを有している。脱臭ダクト配置部１６２は、配置される脱臭ダクト７００に対向した側壁１６２ａ、１６２ｂ（側面）を有しており、側壁１６２ａ、１６２ｂ（側面）は、係合凹部１６５、１６６（ガイド）を有している。脱臭ダクト７００は、係合凹部１６５、１６６（ガイド）に係合し、係合凹部１６５、１６６（ガイド）に沿って案内される係合凸部７２３、７２４を有している。かかるポータブルトイレ１０によれば、脱臭ダクト７００が便器本体１００に対して簡単に着脱できるように取り付けられている。このため、脱臭ダクト７００を取り外して洗うことが簡単に行える。
【０１１４】
また、図１６に示すように、脱臭ダクト配置部１６２は、脱臭ダクト７００を挟む２つの側壁１６２ａ、１６２ｂ（側面）を有してもよい。この場合、当該２つの側壁１６２ａ、１６２ｂ（側面）は、脱臭ダクト７００の外側面に対向し、それぞれ係合凹部１６５、１６６（ガイド）を有しているとよい。この場合、脱臭ダクト７００は、２つの側壁１６２ａ、１６２ｂ（側面）に形成された係合凹部１６５、１６６（ガイド）にそれぞれ装着される少なくとも２つの係合部を有していてもよい。
【０１１５】
また、上述した実施形態では、便器本体１００は、脱臭ダクト配置部１６２の上部が開放されている。そして、係合凹部１６５、１６６（ガイド）は、脱臭ダクト配置部１６２の側面の上方の端部に至っている。このため、脱臭ダクト７００は、脱臭ダクト配置部１６２の上方から、簡単に取り付けたり取り外したりできる。
【０１１６】
なお、ここでは、脱臭ダクト配置部１６２は、上方に開放された例を例示したが、脱臭ダクト配置部１６２が開放されている方向は、上方でなくてもよい。例えば、脱臭ダクト配置部１６２は、図示は省略するが、側方あるいは後方に開放されており、当該開放された方向にガイドが延びているとよい。つまり、便器本体１００の脱臭ダクト配置部１６２は、予め定められた一の方向に開放されており、係合凹部１６５、１６６（ガイド）は、脱臭ダクト配置部の側面の前記一の方向の端部に至っているとよい。この場合、脱臭ダクト７００は、係合凹部１６５、１６６（ガイド）に沿って、脱臭ダクト配置部１６２が開放された方向に、簡単に取り付けたり取り外したりできる。
【０１１７】
また、脱臭ダクト配置部１６２の予め定められた位置に、係合凹部１６５、１６６（ガイド）の終端が設定されていてもよい。この場合、係合凹部１６５、１６６（ガイド）の終端まで脱臭ダクト７００を挿入することによって、脱臭ダクト７００は、脱臭ダクト配置部１６２の予め定められた位置に取り付けられる。
【０１１８】
また、脱臭ダクト配置部１６２は、便器本体１００の後方に配置されていてもよい。この場合、脱臭ダクト配置部１６２は、便器本体１００の後方の中央部に配置されていてもよい。かかる位置に脱臭ダクト配置部１６２を配置することによって、脱臭ダクト７００を目立ち難くできる。
【０１１９】
また、脱臭ダクト配置部１６２の係合凹部１６５、１６６（ガイド）および脱臭ダクト７００の係合凸部７２３、７２４（係合部）は、直線に沿って設けられているとよい。つまり、上述した実施形態では、図２０に示すように、脱臭ダクト配置部１６２に装着された係合凹部１６５、１６６（ガイド）が直線に沿って形成されている。これに対して、脱臭ダクト７００の係合凸部７２３、７２４は、図２２に示すように、縦長の突起である。そして、脱臭ダクト７００の係合凸部７２３、７２４は、脱臭ダクト配置部１６２の係合凹部１６５、１６６の直線に沿って、当該係合凹部１６５、１６６に係合している。このため、脱臭ダクト７００は、係合凹部１６５、１６６によって規定される直線に沿って出し入れされるので、脱臭ダクト配置部１６２に対する動作が単純であり、取り付けや取り外しが容易である。
【０１２０】
また、上述した実施形態では、脱臭ダクト配置部１６２に設けられたガイドとしての係合凹部１６５、１６６は溝であり、脱臭ダクト７００に設けられた係合部としての係合凸部７２３、７２４は突起である。これに限らず、脱臭ダクト配置部１６２に設けられたガイドは突出した突出部であってもよいし、脱臭ダクト７００に設けられた係合部は窪みであってもよい。
【０１２１】
図２５は、ポータブルトイレ１０の変形例を示している。図２５に示されたポータブルトイレ１０では、便器本体１００の脱臭ダクト配置部１６２の側壁１６２ａ、１６２ｂに係合凸部１７１、１７２が形成されている。他方、脱臭ダクト７００には、脱臭ダクト配置部１６２の係合凸部１７１、１７２に係合可能な係合凹部７２５、７２６が形成されている。このように、便器本体１００には、脱臭ダクト７００と脱臭ダクト配置部１６２のうち一方には突出部が形成され、他方には当該突出部に嵌る窪みが形成されているとよい。
【０１２２】
なお、脱臭ダクト７００に形成された係合凹部７２５、７２６は、脱臭ダクト７００の左右両側にそれぞれ形成されている。図示例では、係合凹部７２５、７２６は、脱臭ダクト７００の左右両側面の中間位置から下方に向けて連続した溝状に形成されている。当該溝状の係合凹部７２５、７２６の上端は、上方に開放されておらず、規制部７２５ａ、７２６ａが設けられている。脱臭ダクト配置部１６２の両側の側壁１６２ａ、１６２ｂには、当該溝状の係合凹部７２５、７２６に嵌る係合凸部１７１、１７２が設けられている。図示は省略するが、係合凸部１７１、１７２は、縦長の突起である。当該係合凸部１７１、１７２に、脱臭ダクト７００の係合凹部７２５、７２６が嵌ることによって、脱臭ダクト７００は上下方向に案内されつつ脱臭ダクト配置部１６２に装着される。
【０１２３】
また、ポータブルトイレ１０は、図１８に示すように、便器本体１００に予め定められた位置に配置された脱臭装置７５０を備えている。便器本体１００の予め定められた位置に脱臭装置７５０を配置することによって、脱臭装置７５０と脱臭ダクト７００が係合し、脱臭ダクト配置部１６２に脱臭ダクト７００が保持されるとよい。例えば、図１８に示す実施形態では、脱臭ダクト７００の接続口７１２に、脱臭装置７５０の吸引口７５４に設けられた立ち上り部７５５が嵌ることによって、脱臭装置７５０と脱臭ダクト７００との係合が具現化されている。なお、便器本体１００の予め定められた位置に脱臭装置７５０を配置することによって、脱臭装置７５０と脱臭ダクト７００が係合し、脱臭ダクト配置部１６２に脱臭ダクト７００が保持される構造は、かかる形態に限定されない。
【０１２４】
脱臭ダクト７００は、脱臭装置７５０が接続される接続口７１２を有し、かつ、脱臭装置７５０は、接続口７１２に接続される被接続口として、上述したように立ち上り部７５５を有する吸引口７５４を備えているとよい。また、かかる接続口と被接続口とは、脱臭ダクト配置部１６２において、ガイドに沿って当該脱臭ダクト７００が移動しうる方向とは異なる方向おいて嵌り合っているとよい。例えば、図１８に示すように、脱臭ダクト配置部１６２に設けられたガイドとしての係合凹部１６５、１６６に対して、脱臭ダクト７００が上下方向に動きうる場合には、脱臭ダクト７００の接続口７１２に対する脱臭装置７５０の係合は、当該上下方向の動きを規制するものであるとよい。この場合、脱臭ダクト７００と脱臭装置７５０とが接続されることによって、脱臭ダクト７００が脱臭ダクト配置部１６２から脱落するのが防止される。
【０１２５】
以上、ポータブルトイレ１０に関して種々の形態を例示したが、本発明に係るポータブルトイレは、特に言及されない限りにおいて、上述した実施形態に限定されない。
【０１２６】
例えば、脱臭ダクト配置部は、側面として、当該脱臭ダクト配置部に配置された脱臭ダクトを挟む２つの側面を有しており、当該２つの側面は、それぞれガイドを有した形態を例示したが、脱臭ダクト配置部の何れかの側面にガイドが設けられており、脱臭ダクトは、ガイドに案内される係合部を備えていてもよい。また、ガイドの形状や、係合部の形状についても、種々の形態を採用でき、特に言及されない限りにおいて上述した実施形態に限定されない。
【符号の説明】
【０１２７】
１０  ポータブルトイレ
２０  蓋
２１  ヒンジ
２２  蝶番
３０  便座
３１  ヒンジ
３２  便座の開口
４０  バケツ
４１  取っ手
４２  バケツ蓋
４３  上縁
５０  トレイ
５１  トレイの開口
５２、５３  トレイの壁
５６  ダクト装着口
５７  カバー部
６０  トイレットペーパーホルダ
１００  便器本体
１０１  収容部
１０１ａ  底
１０１ａ１  底面リブ
１０２  上面部
１０３  外郭部
１０４  底部
１０４ａ  開口
１０４ａ１  突起
１１１  外側面
１１２  上面部の周縁を形成する面
１１３  外郭部を形成する面
１１４  底部を形成する面
１２１〜１２４  ボス
１２１ａ〜１２４ａ  リブ
１６０  取付部材
１６１  脱臭装置配置部
１６２  脱臭ダクト配置部
１６２ａ、１６２ｂ  側壁
１６２ｃ  底壁
１６３  フランジ
１６３ａ  取付ピン
１６４  孔
１６５、１６６  係合凹部
１６７  切り欠き
１７１、１７２  係合凸部
２１０  上側部材
２１０ａ  上側部材の下縁
２１０ａ１  段差
２１０ａ２  係合片
２１０ｂ  ピン
２１０ｃ  ねじ穴
２１０ｄ  取付孔
２１１、２１２  肘掛取付部
２１３、２１４  背もたれ取付部
２１５  窪み
２１６  受け部
２１６ａ  排出路
２２０  下側部材
２２０ａ  下側部材の上縁
２２０ａ１  段差
２２０ａ２  係合片
２２０ｂ  ピン穴
２２０ｃ  ねじ穴
２２０ｄ  切欠き（水抜き穴）
２２１、２２２  窪み
２２３〜２２６  縦穴
２２７、２２８  係合溝
２３１、２３２  鍵穴
２５０  背もたれ
２５１  開口
２５２、２５３  柱部
２５４  背もたれ部
２５５  クッション
２５６、２５７  係合溝
３００、４００  肘掛
３０１、４０１  肘掛ベース
３０２、４０２  肘掛本体
３０３、４０３  高さ調節機構
３１１、４１１  基部
３１２、４１２  支柱
３１２ａ、４１２ａ  下端部
３１３、４１３  支柱
３１４、４１４  中空軸
３２１、４２１  係合突起
３２２、４２２  差込穴
３２３、４２３  係合片
３４１、４４１  肘掛部
３４２、３４３（４４２、４４３）  可動軸
３５０、４５０  固定ピン
３８１、３８２（４８１、４８２）  突起
３８３、３８４（４８３、４８４）  バネ
３８５、３８６（４８５、４８６）  摘み
５００、６００  脚
５０１、５０２（６０１、６０２）  脚部
５０３、６０３  フロントベース部
５０４（６０４）  リヤベース部
５０５（６０５）  連結部
５０６、６０６  キャスター
７００  脱臭ダクト
７１１  吸引口
７１２  接続口
７１３  排出孔
７２１  凹部
７２１ａ  凸部
７２３、７２４  係合凸部
７２５、７２６  係合凹部
７２５ａ、７２６ａ  規制部
７５０  脱臭装置
７５２  ケース
７５２ａ  前側部材
７５２ｂ  後側部材
７５３  蓋
７５４  吸引口
７５５  立ち上り部
８００  長さ調節構造
【図１】
2015051300.tif 000003
【図２】
2015051300.tif 000004
【図３】
2015051300.tif 000005
【図４】
2015051300.tif 000006
【図５】
2015051300.tif 000007
【図６】
2015051300.tif 000008
【図７】
2015051300.tif 000009
【図８】
2015051300.tif 000010
【図９】
2015051300.tif 000011
【図１０】
2015051300.tif 000012
【図１１】
2015051300.tif 000013
【図１２】
2015051300.tif 000014
【図１３】
2015051300.tif 000015
【図１４】
2015051300.tif 000016
【図１５】
2015051300.tif 000017
【図１６】
2015051300.tif 000018
【図１７】
2015051300.tif 000019
【図１８】
2015051300.tif 000020
【図１９】
2015051300.tif 000021
【図２０】
2015051300.tif 000022
【図２１】
2015051300.tif 000023
【図２２】
2015051300.tif 000024
【図２３】
2015051300.tif 000025
【図２４】
2015051300.tif 000026
【図２５】
2015051300.tif 000027